(57)【要約】【課題】除霜性能に優れた温水生成装置を提供すること。【解決手段】冷媒回路２と、放熱器２２と蒸発器２４との間の冷媒回路２から分岐し、圧縮機２１の圧縮室または流路切替装置２６と圧縮機２１の吸入側との間の冷媒回路２に接続されたバイパス路３と、バイパス路３に配設されたバイパス減圧装置３１と、圧縮機２１から吐出された冷媒が、放熱器２２へと流入する温水生成モードと、圧縮機２１から吐出された冷媒が、蒸発器２４へと流入する除霜モードと、を実行する制御装置４と、を備え、制御装置４は、除霜モードの実行中に、圧縮機２１から吐出された冷媒の過熱度または蒸発器２４の前後を流れる冷媒の温度差が、所定値となるようにバイパス減圧装置３１を制御するもので、蒸発器２４の冷媒流路の霜の融解時間の差を低減し、冷媒流路からの放熱ロスを抑制して、除霜性能を向上させることができる。【選択図】図１
2014202365.tif 000002
【特許請求の範囲】
【請求項１】
圧縮機、流路切替装置、冷媒と水との間で熱交換を行う放熱器、主減圧装置、蒸発器が冷媒配管で環状に接続された冷媒回路と、
前記放熱器と前記蒸発器との間の前記冷媒回路から分岐し、前記圧縮機の圧縮室または前記流路切替装置と前記圧縮機の吸入側との間の前記冷媒回路に接続されたバイパス路と、前記バイパス路に配設されたバイパス減圧装置と、
前記圧縮機から吐出された冷媒が、前記放熱器へと流入する温水生成モードと、前記圧縮機から吐出された冷媒が、前記蒸発器へと流入する除霜モードと、を実行する制御装置と、を備え、
前記制御装置は、前記除霜モードの実行中に、前記圧縮機から吐出された冷媒の過熱度または前記蒸発器の前後を流れる冷媒の温度差が、所定値となるように前記バイパス減圧装置を制御することを特徴とする、温水生成装置。
【請求項２】
前記所定値は、前記除霜モードが開始されたときの前記過熱度または前記温度差よりも小さい値であることを特徴とする、請求項１に記載の温水生成装置。
【請求項３】
前記圧縮機から吐出される冷媒の温度を検出する第１温度センサと、
前記圧縮機から吐出される冷媒の圧力を検出する第１圧力センサと、を備えることを特徴とする請求項１または２に記載の温水生成装置。
【請求項４】
前記圧縮機から吐出される冷媒の温度を検出する第１温度センサと、
前記除霜モードにおける冷媒の流れ方向において、前記蒸発器から流出する冷媒の温度を検出する第２温度センサと、を備えることを特徴とする請求項１または２に記載の温水生成装置。
【請求項５】
前記圧縮機から吐出される冷媒の圧力を検出する第１圧力センサ、または、前記除霜モードにおける冷媒の流れ方向において前記蒸発器から流出する冷媒の温度を検出する第２温度センサと、
前記圧縮機に流入する冷媒の圧力を検出する第２圧力センサ、または、前記除霜モードにおける冷媒の流れ方向において前記放熱器に流入する冷媒の温度を検出する第３温度センサと、を備え、
前記制御装置は、前記第１圧力センサまたは前記第２温度センサの検出値と、第２圧力センサまたは第３温度センサの検出値とに基づいて前記所定値を決定することを特徴とする請求項１〜４のいずれかに記載の温水生成装置。
【発明の詳細な説明】
【技術分野】
【０００１】
本発明は、冷凍サイクルを用いて水を加熱する温水生成装置に関するものである。
【背景技術】
【０００２】
従来、冷凍サイクルを用いて水を加熱する温水生成装置は、圧縮機、冷媒−水熱交換器（放熱器）、膨張弁、冷媒−空気熱交換器（蒸発器）が冷媒配管で環状に接続された冷媒回路を備えている。温水生成装置は、冷媒回路を循環する冷媒の熱を放熱器で水に放熱して温水を生成している。
【０００３】
ここで、温水を生成するための熱は、主に蒸発器において、冷媒が空気から吸熱することで得られる。吸熱時は、蒸発器の冷媒配管内を低温の冷媒が循環して空気と熱交換を行う。これにより、空気中の水分が蒸発器の表面で凝結して着霜する。蒸発器の表面に着霜が生じると、伝熱効率の低下により吸熱量が減少し、機器の運転効率が低下する。よって、運転効率の悪化を防ぐため、一般的に除霜モードが行われる（例えば、特許文献１参照）。
【０００４】
図６は、特許文献１に記載された従来の温水生成装置を示すものである。
【０００５】
図６に示すように、温水生成装置１００は、冷媒を循環させる冷媒回路１１０と、バイパス路１２０と、温水を循環させる温水回路１３０を備えている。
【０００６】
冷媒回路１１０は、圧縮機１１１、放熱器１１２、膨張弁１１３および蒸発器１１４が冷媒配管により環状に接続され、冷媒回路１１０には、温水生成モードと除霜モードを切り換えるための四方弁１１５が設けられている。
【０００７】
バイパス路１２０は、蒸発器１１４と膨張弁１１３の間で冷媒回路１１０から分岐し、蒸発器１１４と圧縮機１１１の間で冷媒回路１１０に接続されている。また、バイパス路１２０には、電磁弁１２１が設けられている。
【０００８】
温水回路１３０は、放熱器１１２において、水が流れる流路を形成する。温水回路１３０を通じて放熱器１１２に供給された水は、放熱器１１２で冷媒から吸熱して加熱され、温水が生成される。
【０００９】
さらに、冷凍サイクル装置１００には、蒸発器１１４に流入する冷媒の温度（蒸発器入口温度）Ｔｅを検出する温度センサ１４１と、温水回路１３０において放熱器１１２に流入する水の温度（入水温度）Ｔｗｉを検出する温度センサ１４２と、放熱器１１２から流出する水の温度（出水温度）Ｔｗｏを検出する温度センサ１４３が設けられている。
【００１０】
温水生成モードにおいて、温度センサ１４１で検出される蒸発器入口温度Ｔｅが所定値以下になると、蒸発器１１４に着霜していると判断し、四方弁１１５を切り替えて除霜モードを開始する。その時に温度センサ１４２と温度センサ１４３で検出される入水温度と出水温度の温度差により、膨張弁１１３を開けて電磁弁１２１を閉じる通常除霜モードと、膨張弁１１３を全閉して電磁弁１２１を開けるバイパス除霜モードと、を選択して実行するように制御している。
【先行技術文献】
【特許文献】
【００１１】
【特許文献１】特開２０１１−４７６０７号公報
【発明の概要】
【発明が解決しようとする課題】
【００１２】
しかしながら、前記従来の構成では、電磁弁を閉じ膨張弁を開ける通常除霜モードを行う場合、放熱器において冷媒と温水とが熱交換することで、圧縮機に吸入される冷媒の過熱度が増大し、蒸発器に流入する冷媒の温度と空気の温度との温度差が増大する。
【００１３】
その結果、蒸発器の冷媒流路において、霜が融解した後も冷媒から空気への放熱が継続する。これにより、冷媒流路毎で霜の融解に大きな差が生じて除霜時間が長くなるとともに、放熱ロスが増大して運転効率が低下するという課題を有していた。
【００１４】
また、電磁弁を開き膨張弁を全閉にするバイパス除霜モードの場合、冷媒が熱源となる温水から吸熱することができない。よって、除霜モードでの運転時間が長くなるという課題を有していた。
【００１５】
本発明は、前記従来の課題を解決するもので、蒸発器の除霜性能が向上した温水生成装置を提供することを目的とする。
【課題を解決するための手段】
【００１６】
前記従来の課題を解決するために、本発明の温水生成装置は、圧縮機、流路切替装置、冷媒と水との間で熱交換を行う放熱器、主減圧装置、蒸発器が冷媒配管で環状に接続された冷媒回路と、前記放熱器と前記蒸発器との間の前記冷媒回路から分岐し、前記圧縮機の圧縮室または前記流路切替装置と前記圧縮機の吸入側との間の前記冷媒回路に接続されたバイパス路と、前記バイパス路に配設されたバイパス減圧装置と、前記圧縮機から吐出された冷媒が、前記放熱器へと流入する温水生成モードと、前記圧縮機から吐出された冷媒が、前記蒸発器へと流入する除霜モードと、を実行する制御装置と、を備え、前記制御装置は、前記除霜モードの実行中に、前記圧縮機から吐出された冷媒の過熱度または前記蒸発器の前後を流れる冷媒の温度差が、所定値となるように前記バイパス減圧装置を制御することを特徴とするものである。
【００１７】
これにより、除霜モードにおいて、放熱器で温水から吸熱して過熱状態となった冷媒と、バイパス路から流出する二相状態の冷媒とが、圧縮機に吸入される前に合流して、圧縮機に吸入される冷媒のエンタルピーが低下する。よって、蒸発器に流入する冷媒の過熱度が低下する。また、圧縮機から吐出される冷媒の温度が適切に制御されるので、霜が融解した冷媒流路において、冷媒温度と空気温度との温度差が小さくなり、冷媒の凝縮が抑制される。
【００１８】
その結果、霜が融解した冷媒流路を流れる冷媒の流量が低下し、霜が融解していない冷媒流路を流れる冷媒の流量が増加するので、霜の融解が効率的に行われる。また、霜が融解した冷媒流路からの放熱ロスが低減される。
【発明の効果】
【００１９】
本発明によれば、蒸発器の冷媒流路の霜の融解を効率的に実施でき、冷媒流路からの放熱ロスも低減した、除霜性能に優れた温水生成装置を提供することができる。
【図面の簡単な説明】
【００２０】
【図１】本発明の実施の形態１における温水生成装置の概略構成図
【図２】同温水生成装置の蒸発器の概略構成図
【図３】同温水生成装置の除霜モード時のモリエル線図
【図４】同温水生成装置の除霜モードの制御フローチャート
【図５】同温水生成装置における圧縮比と断熱効率の相関関係の一例を示すグラフ
【図６】従来の冷凍サイクル装置の概略構成図
【発明を実施するための形態】
【００２１】
第１の発明は、圧縮機、流路切替装置、冷媒と水との間で熱交換を行う放熱器、主減圧装置、蒸発器が冷媒配管で環状に接続された冷媒回路と、前記放熱器と前記蒸発器との間の前記冷媒回路から分岐し、前記圧縮機の圧縮室または前記流路切替装置と前記圧縮機の吸入側との間の前記冷媒回路に接続されたバイパス路と、前記バイパス路に配設されたバイパス減圧装置と、前記圧縮機から吐出された冷媒が、前記放熱器へと流入する温水生成モードと、前記圧縮機から吐出された冷媒が、前記蒸発器へと流入する除霜モードと、を実行する制御装置と、を備え、前記制御装置は、前記除霜モードの実行中に、前記圧縮機から吐出された冷媒の過熱度または前記蒸発器の前後を流れる冷媒の温度差が、所定値となるように前記バイパス減圧装置を制御することを特徴とする温水生成装置である。
【００２２】
これにより、除霜モード時において、蒸発器に付着した霜へ放熱して凝縮し、液または二相状態となった冷媒が、放熱器側とバイパス路側に分流される。放熱器で温水から吸熱した過熱冷媒と、バイパス路側の二相冷媒とは、圧縮機に吸入される前に再び合流する。
【００２３】
よって、圧縮機に吸入される冷媒のエンタルピーが低下し、圧縮機から吐出される冷媒の過熱度または蒸発器の前後を流れる冷媒の温度差が所定値まで次第に低下する。すなわち、蒸発器に流入する冷媒の過熱度が低下するので、すでに霜が融解したパス（冷媒流路）の冷媒温度と空気温度との温度差が小さくなる。また、圧縮機から吐出される冷媒の温度が適切に制御されるので。したがって、既に霜が融解したパスにおける冷媒の凝縮が抑制される。その結果、霜が融解したパスの冷媒流量が低下し、霜が融解していないパスの冷媒流量が増加する。
【００２４】
以上から、蒸発器における冷媒温度が適正に制御されるので、蒸発器の各パスにおける霜の融解時間の差が減少して除霜時間が短縮される。また、融解したパスからの放熱ロスも低減することができる。よって、効率の良い除霜モードが実現でき、機器の省エネルギー性が向上する。
【００２５】
第２の発明は、特に第１の発明において、前記所定値は、前記除霜モードが開始されたときの前記過熱度または前記温度差よりも小さい値であることを特徴とするものである。
【００２６】
所定値を小さくすることで、バイパス路を流れる二相冷媒の流量が多くなり、放熱器に流入した冷媒が、温水から吸熱する熱量が大幅に減少する。これにより、冷媒が圧縮機本体から吸熱する熱量が増加するので、除霜モードに切り替わったとき、蒸発器に流入する冷媒温度が迅速に低下する。
【００２７】
したがって、蒸発器に流入する冷媒温度が低下する時間が短縮されるので、霜が融解したパスからの放熱ロスが低減され、効率の良い除霜モードが実現でき、機器の省エネルギー性がさらに向上する。
【００２８】
第３の発明は、特に第１または第２の発明において、前記圧縮機から吐出される冷媒の温度を検出する第１温度センサと、前記圧縮機から吐出される冷媒の圧力を検出する第１圧力センサと、を備えることを特徴とするものである。
【００２９】
これにより、第１温度センサの検出値と、第１圧力センサの検出値に基づいて、圧縮機から吐出される冷媒の過熱度を算出することができる。
【００３０】
第４の発明は、特に第１または第２の発明において、前記圧縮機から吐出される冷媒の温度を検出する第１温度センサと、前記除霜モードにおける冷媒の流れ方向において、前記蒸発器から流出する冷媒の温度を検出する第２温度センサと、を備えることを特徴とするものである。
【００３１】
これにより、第１温度センサの検出値と、第２温度センサの検出値に基づいて、蒸発器の前後を流れる冷媒の温度差を算出することができる。
【００３２】
第５の発明は、特に第１から第４のいずれかの発明において、前記圧縮機から吐出される冷媒の圧力を検出する第１圧力センサ、または、前記除霜モードにおける冷媒の流れ方向において前記蒸発器から流出する冷媒の温度を検出する第２温度センサと、前記圧縮機に流入する冷媒の圧力を検出する第２圧力センサ、または、前記除霜モードにおける冷媒の流れ方向において前記放熱器に流入する冷媒の温度を検出する第３温度センサと、を備え、前記制御装置は、前記第１圧力センサまたは前記第２温度センサの検出値と、第２圧力センサまたは第３温度センサの検出値とに基づいて前記所定値を決定することを特徴とするものである。
【００３３】
これにより、検出値から圧縮機から吐出される冷媒の圧力と、圧縮機に吸入される圧力とが検出される。また、圧縮機での圧縮比が推定される。これらの値から圧縮機の断熱効率が推定できるので、圧縮機での液圧縮が生じない吐出過熱度を、所定値として決定できる。
【００３４】
したがって、所定値を幅広い運転範囲に設定することができるので、圧縮機での液圧縮が防止でき、圧縮機から吐出される冷媒の温度を、除霜に最低限必要な温度差まで低下させることができるので、圧縮機の信頼性が向上する。
【００３５】
以下、本発明の実施の形態について、図面を参照しながら説明する。なお、この実施の形態によって本発明が限定されるものではない。
【００３６】
（実施の形態１）
図１は、本発明の実施の形態１における温水生成装置の概略構成を示すものである。
【００３７】
図１において、温水生成装置１Ａは、冷媒が循環する冷媒回路２と、バイパス路３と、制御装置４とを備えている。冷媒としては、例えば、Ｒ４０７Ｃ等の非共沸混合冷媒、Ｒ４１０Ａ等の擬似共沸混合冷媒、または単一冷媒等を用いることができる。
【００３８】
冷媒回路２は、冷媒を圧縮する圧縮機２１、冷媒と水との間で熱交換を行う放熱器２２、冷媒を減圧する主膨張弁（主減圧装置）２３および冷媒と空気との間で熱交換を行う蒸発器２４が冷媒配管で環状に接続されて構成されている。本実施の形態では、圧縮機２１に流入する前の冷媒配管に、気液分離を行うアキュムレータ２５が設けられている。また、冷媒回路２には、温水生成モードと除霜モードとで、冷媒の流れる方向を切り替える四方弁（流路切替装置）２６が設けられている。
【００３９】
四方弁２６によって、圧縮機２１、四方弁２６、放熱器２２、主膨張弁２３、蒸発器２４、四方弁２６、アキュムレータ２５、圧縮機２１の順に冷媒が循環する循環方向と、圧縮機２１、四方弁２６、蒸発器２４、主膨張弁２３、放熱器２２、四方弁２６、アキュムレータ２５、圧縮機２１の順に冷媒が循環する循環方向とが切り替えられる。
【００４０】
本実施の形態では、放熱器２２において、冷媒と水とが熱交換を行って、水が加熱され
る。放熱器２２において生成された温水は、暖房や給湯に利用される。
【００４１】
放熱器２２には、供給管７１と回収管７２が接続されている。水は、供給管７１を流れて放熱器２２に流入する。放熱器２２で冷媒によって加熱された水（温水）は、回収管７２へと流れる。回収管７２を流れる温水は、例えば、ラジエータ等の暖房機（図示せず）や貯湯タンク（図示せず）、給湯端末（図示せず）に送られる。これにより暖房や給湯が行われる。
【００４２】
本実施の形態では、バイパス路３は、放熱器２２と主膨張弁２３の間で冷媒回路２から分岐し、蒸発器２４と圧縮機２１の間における、四方弁２６とアキュムレータ２５の間の冷媒回路２につながっている。また、バイパス路３には、バイパス膨張弁（バイパス減圧装置）３１が設けられている。
【００４３】
図１に示す実線矢印は、通常の温水生成モード時の冷媒の流れ方向を実線矢印で示している。以下、温水生成モードにおける冷媒の状態変化を説明する。
【００４４】
温水生成モードにおいて、制御装置４は、圧縮機２１を動作させて、高温高圧の冷媒を放熱器２２へと流入させる。
【００４５】
圧縮機２１から吐出された高温高圧の冷媒は、四方弁２６を介して放熱器２２に流入し、放熱器２２を通過する水に放熱する。放熱器２２から流出した高圧冷媒は、主膨張弁２３によって減圧されて膨張した後に、蒸発器２４に流入する。蒸発器２４に流入した低圧冷媒は、ここで空気から吸熱する。蒸発器２４から流出した低圧冷媒は、再び圧縮機２１に吸入される。
【００４６】
ここで、制御装置４が温水生成モードを実行すると、空気中の水分等が蒸発器２４で氷結して蒸発器２４の表面に着霜する場合がある。このとき、蒸発器２４の伝熱性能が低下する。これにより、加熱能力の低下や運転効率の低下が生じる。よって、蒸発器２４への着霜が生じた場合には、外気温度または蒸発器２４の温度、および、温水生成装置の運転時間などから着霜の有無とその度合いを推定し、霜を融解して除去する除霜モードを実施する必要がある。
【００４７】
除霜モードとしては、四方弁２６を切り替えて冷媒の循環方向を逆転させるリバースサイクル除霜がある。リバースサイクル除霜では、圧縮機２１から吐出された高温高圧のガス冷媒を蒸発器２４に導入し、冷媒の凝縮熱で霜を融解する。
【００４８】
また、四方弁２６は切り替えずに、圧縮機２１から吐出された高温高圧のガス冷媒をバイパス回路により蒸発器２４に導入して霜を融解するホットガス除霜もある。
【００４９】
本発明は、リバースサイクル除霜を実施して、蒸発器２４に付着した霜を融解させるものである。次に、リバースサイクル除霜における、冷媒の状態変化を説明する。
【００５０】
図１の破線矢印は、制御装置４が、リバースサイクル除霜での除霜モードを実行したときの冷媒の流れ方向を示している。
【００５１】
圧縮機２１から吐出された高圧冷媒は、四方弁２６を流れて蒸発器２４に流入して、蒸発器２４に付着した霜に放熱して霜を融解する。蒸発器２４から流出した液冷媒は、主膨張弁２３を通り放熱器２２に入り、温水から吸熱して再び圧縮機２１に戻る。
【００５２】
一般的に、温水生成装置においては、除霜モード中の放熱器２２内部の水の凍結を防止
するため、放熱器２２に温水を循環させておく必要がある。除霜モード時に霜を融解させるために消費される熱の大部分は、放熱器２２を流通する温水から吸熱されてまかなわれる。このように、放熱器２２から流出し圧縮機２１に戻る冷媒は、放熱器２２において温水から吸熱して過度の過熱状態となっている。したがって、圧縮機２１から吐出され蒸発器２４に流入する冷媒の過熱度が大きくなる。
【００５３】
ここで、蒸発器２４は、図２に示すように、熱交換器の冷媒流路の圧力損失を低減するために、冷媒流路を複数に分割して多パス化することが必要である。しかし、蒸発器２４における各パスの長さや位置（高さ）の相互関係により、各パスの着霜量は均一にはならない。
【００５４】
除霜モード中に蒸発器２４に流入する冷媒の過熱度が大きくなると、冷媒と蒸発器２４の周囲の温度との温度差が大きくなる。これにより、着霜量が少ないパスにおいて、霜が融解した後も冷媒が空気に放熱し続けることがある。よって、霜が融解した後も冷媒の凝縮が継続する。したがって、着霜量が多く霜が融解していないパスの冷媒流量が増加しにくい。
【００５５】
その結果、各パスにおいて、霜が完全に融解するまでの時間に大きな差が生じてしまい、除霜時間が長くなる。また、蒸発器２４からの放熱ロスが大きくなり運転効率が低下する。
【００５６】
このように、除霜に使用する熱量の大部分を温水から吸熱することで、冷媒と蒸発器２４の周囲の温度との温度差が大きくなる。これにより、運転効率の低下を招く場合がある。また、放熱器２２で生成される温水の温度が低下するので、暖房の快適性が損なわれるなどのデメリットがある。
【００５７】
これらのデメリットを低減して、省エネ性および快適性を向上するためには、温水からの吸熱量を低減しながら除霜に要する時間を短縮することが必要である。
【００５８】
そこで、本実施の形態では、詳しくは後述するが、制御装置４は、圧縮機２１から吐出された冷媒が蒸発器２４に流入する除霜モードを実行し、除霜モードにおいて、バイパス膨張弁３１を開き、圧縮機２１から吐出される冷媒の過熱度が所定の過熱度となるようにバイパス膨張弁３１を制御する。なお、制御装置４は、図１の点線で示す流路を冷媒が流れるように、四方弁２６の流路を切り替えて、除霜モードを実行する。
【００５９】
これにより、圧縮機２１から吐出されて、蒸発器２４に流入したガス状態の冷媒は、蒸発器２４に付着した霜への放熱により凝縮し、液または二相状態となる。蒸発器２４から流出した冷媒は、放熱器２２側とバイパス路３側に分流される。放熱器２２で温水から吸熱し過熱状態となった冷媒とバイパス路３側の二相冷媒とは、圧縮機２１に吸入される前に再び合流する。
【００６０】
これにより、圧縮機２１に吸入される冷媒のエンタルピーが図３中ａ点からａ′点のように低下し、圧縮機２１から吐出される冷媒の過熱度が図３中ｂ点から所定値ｂ′点まで次第に低下する。よって、蒸発器２４に流入する冷媒の過熱度が低下するので、霜が融解したパスにおける、冷媒の温度と蒸発器２４の周囲温度との温度差が小さくなる。その結果、霜が融解したパスにおける冷媒の凝縮が抑制される。
【００６１】
そのため、霜が融解したパスの冷媒流量が低下し、霜が融解していないパスの冷媒流量が増加する。これにより、蒸発器２４の除霜が効率的に行われる。
【００６２】
このように、制御装置４は、バイパス膨張弁３１の開度を調整して蒸発器２４から流出した冷媒の一部をバイパス路３へと導入することで、除霜モード実行中の温水からの吸熱量を調整し、蒸発器２４における冷媒の温度を適正に制御する。その結果、蒸発器２４の各パスにおける霜の融解時間の差が均一化して、除霜時間が短縮されるとともに、融解したパスからの空気への放熱ロスも低減する。
【００６３】
以下、運転制御の動作について説明する。図１に示すように、冷媒回路２には、圧縮機２１から吐出される冷媒の圧力（吐出圧力）Ｐｄを検出する第１圧力センサ５１と、圧縮機２１に吸入される冷媒の圧力（吸入圧力）Ｐｓを検出する第２圧力センサ５２と、圧縮機２１から吐出される冷媒の温度（吐出温度）Ｔｄを検出する第１温度センサ６１と、温水生成モード時において蒸発器２４に流入する冷媒の温度（蒸発温度）Ｔｅを検出する第２温度センサ６２と、が設けられている。
【００６４】
制御装置４は、各種のセンサ５１、５２、６１、６２で検出される検出値等に基づいて、圧縮機２１の回転数、四方弁２６の切り替え、主膨張弁２３およびバイパス膨張弁３１の開度を制御する。
【００６５】
本実施の形態では、制御装置４は、蒸発温度Ｔｅと運転時間により蒸発器２４の着霜の有無を判断し、除霜が必要と判断した場合に、圧縮機２１から吐出された冷媒が蒸発器２４に流入するように四方弁２６を切り替えて、除霜モードを実行する。ここで、制御装置４は、バイパス膨張弁３１を初期開度に設定する。
【００６６】
そして、制御装置４は、圧縮機２１から吐出された冷媒の過熱度ＳＨｄが、圧縮機２１から吐出される冷媒の過熱度の目標値（吐出過熱度目標値）ＳＨｔとなるようにバイパス膨張弁３１を制御する。ここで吐出過熱度目標値ＳＨｔは、圧縮機２１から吐出された冷媒の温度Ｔｄ、圧縮機２１から吐出された冷媒の圧力Ｐｄ、および、圧縮機２１に吸入される冷媒の圧力Ｐｓ、に基づいて決定される。
【００６７】
まず、制御装置４は、圧力Ｐｄと圧力Ｐｓにより求まる圧縮比Ｒｃから圧縮機２１の断熱効率ηｃを算出する。次に、制御装置４は、圧縮機２１に液状態の冷媒が流入しない状態（図３中ａ′点）から圧縮機２１が冷媒を圧縮した場合のエントロピー変化を推定する。これにより、圧縮機２１から吐出される冷媒の過熱度（図３中ｂ′点）が決定される。
【００６８】
次に、除霜モード時における制御装置４の制御を図４に示すフローチャートを参照して詳細に説明する。
【００６９】
制御装置４は、温水生成モードを実行中に、第２温度センサ６２で検出した蒸発温度Ｔｅと、前回の除霜モード終了から温水生成モードを実行している時間とに基づいて除霜条モードを実行するか否かを判断する。除霜モードが必要であると判断（除霜条件が成立）すると、除霜モードに移行する（ステップＳ１）。
【００７０】
除霜モードにおいて、制御装置４は、四方弁２６を除霜モード側に切り替える。すなわち、圧縮機２１から吐出された冷媒が蒸発器２４に流入するように四方弁２６を切り替える。また、制御装置４は、主膨張弁２３の弁開度を最大にする（ステップＳ２）。
【００７１】
次に、第１圧力センサ５１で、圧縮機２１から吐出される冷媒の吐出圧力Ｐｄを検出するとともに、第２圧力センサ５２で、圧縮機２１に吸入される冷媒の吸入圧力Ｐｓを検出する（ステップＳ３）。
【００７２】
次いで、制御装置４は、検出した吐出圧力Ｐｄと吸入圧力Ｐｓとから圧縮比Ｒｃを算出
し（ステップＳ４）、圧縮機２１の断熱効率ηｃを、ηｃ＝ｆ（Ｒｃ）により算出する（ステップＳ５）。関数ｆ（Ｒｃ）は、図５に示すように、圧縮比Ｒｃを変化させたときの断熱効率ηｃを実験的に求めて導出した結果を関数として表したものである。
【００７３】
そして、制御装置４は、圧縮機２１に液状態の冷媒が流入しない条件でのエンタルピーＨｓと、断熱効率ηｃとに基づいて、吸入圧力Ｐｓから吐出圧力Ｐｄまで冷媒を圧縮した場合のエントロピー変化を算出する。制御装置４は、算出したエントロピー変化に基づいて、圧縮機２１に液状態の冷媒が流入しない条件での吐出圧力を推定し、圧縮機２１から吐出過熱度目標値ＳＨｔを決定する（ステップＳ６）。このとき、制御装置４は、吐出過熱度目標値ＳＨｔは、除霜モードが開始されたときの吐出過熱度よりも小さい値となるように決定する。
【００７４】
なお、圧縮機２１に液状態の冷媒が流入しない条件とは、例えば、圧縮機２１に吸入される冷媒が、飽和ガス状態の場合である。また、圧縮機２１に液状態の冷媒が流入しない条件でのエンタルピーＨｓは、実験的に求めることができる。これにより、エンタルピーＨｓを、例えば、Ｈｓ＝ｆ（Ｐｓ）のように関数として予め設定し、制御装置４が記憶しておけばよい。ここで、冷媒のエントロピーや飽和温度は、冷媒物性式を用いて算出される。
【００７５】
次に、制御装置４は、第１温度センサ６１によって吐出温度Ｔｄを検出し（ステップＳ７）、吐出温度Ｔｄと、吐出圧力Ｐｄにおける飽和温度とから吐出過熱度ＳＨｄを算出する（ステップＳ８）。そして、吐出過熱度ＳＨｄが吐出過熱度目標値ＳＨｔに等しくなるようにバイパス膨張弁３１の開度を調整する（ステップＳ８）。
【００７６】
その後、制御装置４は、除霜モード中において、第２温度センサ６２で検出した蒸発温度Ｔｅと除霜モードを継続している時間とに基づいて、除霜モードの終了条件が成立するか否かを判断（ステップＳ１０）し、除霜終了条件が成立していない場合（ステップＳ１０でＮＯ）は霜が残っていると判断し、ステップＳ３に戻る。
【００７７】
一方、除霜モードの終了条件が成立した場合（ステップＳ１０でＹＥＳ）は、霜が完全に融解したと判断し、除霜モードを終了する。除霜モードを終了すると、制御装置４は、すなわち、圧縮機２１から吐出される冷媒が放熱器２２に流入するように、四方弁２６を切り替えて、温水生成モードを開始する。
【００７８】
以上のように、本実施の形態においては、冷媒回路２は、圧縮機２１から吐出される冷媒の圧力を検出する第１圧力センサ５１と、圧縮機２１に吸入される冷媒の圧力を検出する第２圧力センサ５２と、圧縮機２１から吐出される冷媒の温度を検出する第１温度センサ６１と、温水生成モード時において蒸発器２４に流入する冷媒の温度を検出する第２温度センサ６２とを備えている。
【００７９】
制御装置４は、除霜モードを実行する際には、圧縮機２１から吐出された冷媒が蒸発器２４に流入する方向に四方弁２６を切り替えて、バイパス膨張弁３１を開く。また、制御装置４は、吐出過熱度目標値ＳＨｔを、除霜モードが開始されたときの吐出過熱度よりも小さい値に設定し、バイパス膨張弁３１を制御する。さらに、制御装置４は、圧縮機２１から吐出される冷媒の過熱度が、圧縮機２１での液圧縮が生じない吐出過熱度目標値ＳＨｔとなるようにバイパス膨張弁３１を制御する。
【００８０】
これにより、除霜モード実行中における温水からの吸熱量が適正に調整される。また、圧縮機２１の液圧縮を防止するとともに、蒸発器２４に流入する冷媒温度が除霜に最低限必要な温度を確保した状態で適度に低下する。よって、蒸発器２４の各パスにおける霜の
融解時間が均一化し、除霜時間が短縮されて、融解したパスからの空気への放熱ロスが低減する。
【００８１】
したがって、効率の良い除霜モードが実現できるので除霜性能が向上する。さらに、機器の省エネルギー性と信頼性が向上する。
【００８２】
なお、本実施の形態では、第１圧力センサ５１によって吐出圧力Ｐｄを検出しているが、吐出圧力Ｐｄは、第２温度センサ６２の検出で検出される二相状態の冷媒の温度から飽和圧力を算出し、吐出圧力Ｐｄとしてもよい。
【００８３】
また、第２圧力センサ５２によって吸入圧力Ｐｓを検出しているが、吸入圧力Ｐｓは、第２圧力センサ５２を用いて検出しなくてもよい。例えば、冷媒回路２における主膨張弁２３と放熱器２２との間、または、バイパス路３に設けた温度センサによって検出される二相状態の冷媒の温度から飽和圧力を算出し、吸入圧力Ｐｓとしてもよい。すなわち、除霜モードにおいて、放熱器２２に流入する冷媒、もしくは、放熱器２２に流入する冷媒と同一の温度となる冷媒の温度を、第３温度センサ６３によって測定する。第３温度センサによって測定された冷媒の温度から飽和圧力を算出し、吸入圧力Ｐｓとしてもよい。
【００８４】
また、本実施の形態では、バイパス膨張弁３１を、吐出過熱度ＳＨｄが吐出過熱度目標値ＳＨｔになるように制御しているが、吐出過熱度ＳＨｄの代わりに、第１温度センサ６１の検出値と第２温度センサ６２の検出値の差、つまり、蒸発器２４の前後を流れる冷媒の温度差が、所定値となるようにバイパス膨張弁３１を制御してもよい。
【００８５】
また、バイパス路３は、必ずしも放熱器２２と主膨張弁２３の間で冷媒回路２から分岐している必要はなく、主膨張弁２３と蒸発器２４の間で冷媒回路２から分岐していてもよい。
【００８６】
また、バイパス路３は、圧縮機２１に流入する冷媒が流れる冷媒配管に接続されていなくてもよい。例えば、インジェクション装置のある圧縮機において、例えば、インジェクションポートに接続してもよい。
【００８７】
さらに、本発明の主減圧装置２３およびバイパス減圧装置３１は、必ずしも膨張弁である必要はなく、膨張する冷媒から動力を回収する膨張機であってもよい。この場合、例えば、膨張機と連結された発電機によって負荷を変化させることにより、膨張機の回転数を制御すればよい。
【産業上の利用可能性】
【００８８】
本発明は、冷凍サイクルによって温水を生成し、その温水を暖房や給湯に利用する温水生成装置に特に有用である。
【符号の説明】
【００８９】
１Ａ  温水生成装置
２  冷媒回路
３  バイパス路
４  制御装置
２１  圧縮機
２２  放熱器
２３  主膨張弁（主減圧装置）
２４  蒸発器
２６  四方弁（流路切替装置）
３１  バイパス膨張弁（バイパス減圧装置）
５１  第１圧力センサ
５２  第２圧力センサ
６１  第１温度センサ
６２  第２温度センサ
６３  第３温度センサ
【図１】
2014202365.tif 000003
【図２】
2014202365.tif 000004
【図３】
2014202365.tif 000005
【図４】
2014202365.tif 000006
【図５】
2014202365.tif 000007
【図６】
2014202365.tif 000008